(57)【要約】【課題】把手の高さを容易に、かつ、安全に調節することが可能な浴槽用手摺りを提供する。【解決手段】本発明によれば、把手部と複数の孔が形成された把手支持部とを含む手摺り部と、浴槽の側壁に配置されて前記把手支持部を支持する本体と、前記本体と前記把手支持部とを連結する連結部とを備え、そして前記本体は、前記把手支持部を内部に収容する把手支持部収容部を含み、前記把手支持部収容部の上部には前記把手支持部収容部を縮径するための縮径部が形成されており、前記縮径部は、固定部が前記縮径部に取り付けられることによって、前記把手支持部収容部を縮径するように構成されている浴槽用手摺りが提供される。【選択図】図２
2015097955.tif 000002
【特許請求の範囲】
【請求項１】
把手部と複数の孔が形成された１対の把手支持部とを含む手摺り部と、
浴槽の側壁に配置されて前記把手支持部を支持する本体と、
前記本体と前記把手支持部とを連結する連結部とを備え、
前記連結部は、前記複数の孔の少なくとも１つに抜き差し可能に挿入される１対の挿入部と、前記挿入部を前記把手支持部の孔の外側から孔の内側に向かって付勢する付勢部と、使用者が操作して前記付勢部による前記挿入部の付勢の方向と逆の向きに沿って前記付勢部に力を加えるための付勢解除部とを含み、そして
前記付勢部は、前記挿入部の間に配置されている、浴槽用手摺り。
【請求項２】
前記本体は、前記把手支持部を内部に収容する把手支持部収容部を含み、
前記把手支持部収容部の上部には前記把手支持部収容部を縮径するための縮径部が形成されており、
前記縮径部は、固定部が前記縮径部に取り付けられることによって、前記把手支持部収容部を縮径するように構成されている、請求項１に記載の浴槽用手摺り。
【請求項３】
前記固定部は、前記本体の上部に取り付けられる、請求項２に記載の浴槽用手摺り。
【請求項４】
前記縮径部はスリットである、請求項２又は３に記載の浴槽用手摺り。
【請求項５】
前記付勢部はバネであり、
前記付勢解除部は、前記付勢部の端部に配置される押さえ部と、使用者が前記押さえ部を移動させるために保持するつまみ部とを有する、請求項１から請求項４までのいずれか１項に記載の浴槽用手摺り。
【請求項６】
把手部と複数の孔が形成された把手支持部とを含む手摺り部と、
浴槽の側壁に配置されて前記把手支持部を支持する本体と、
前記本体と前記把手支持部とを連結する連結部とを備え、そして
前記本体は、前記把手支持部を内部に収容する把手支持部収容部を含み、
前記把手支持部収容部の上部には前記把手支持部収容部を縮径するための縮径部が形成されており、
前記縮径部は、固定部が前記縮径部に取り付けられることによって、前記把手支持部収容部を縮径するように構成されている、浴槽用手摺り。
【請求項７】
前記固定部は、前記本体の上部に取り付けられる、請求項６に記載の浴槽用手摺り。
【請求項８】
前記縮径部はスリットである、請求項６又は請求項７に記載の浴槽用手摺り。
【発明の詳細な説明】
【技術分野】
【０００１】
本発明は、一般的には浴槽用手摺りに関し、特定的には、浴槽に着脱可能に取り付けられる浴槽用手摺りに関する。
【背景技術】
【０００２】
従来、浴槽の側壁に着脱可能に取り付けられる浴槽用手摺りがある。このような浴槽用手摺りには、手摺りの握りの高さを調節することができるものがある。
【０００３】
例えば、特開２０１０−２４６６９１号公報（特許文献１）には、浴槽の側壁の上端部に取り付けて使用される浴槽用手摺りが記載されている。この浴槽用手摺りでは、手摺りは、一対の支柱と、支柱の上端間に掛け渡して取り付けられる環状の握りとから形成されている。各支柱には上下複数個所に等間隔で取付孔が穿設してあり、この取付孔を通して、本体具の側片に固定ねじをねじ込むことによって、側片に支柱を固定する。取付孔は支柱の上下複数個所において設けられているので、固定ねじを通す取付孔を選択することによって、手摺りの握りの高さが調節される。
【先行技術文献】
【特許文献】
【０００４】
【特許文献１】特開２０１０−２４６６９１号公報
【発明の概要】
【発明が解決しようとする課題】
【０００５】
しかしながら、特許文献１に記載の浴槽用手摺りでは、手摺りの握りの高さを調節するとき、取付孔に固定ねじを通して、本体具の側片に固定ねじをねじ込む必要がある。固定ねじをねじ込む作業の間、手摺りは固定されないので、使用者が手で手摺りを支えながら作業する必要がある。このように、従来の浴槽用手摺りでは、手摺りの握りの高さの調節においては、作業性が悪く、また、安全性をより高める必要があった。
【０００６】
そこで、この発明の目的は、把手部の高さを容易に、かつ、安全に調節することが可能な浴槽用手摺りを提供することである。
【課題を解決するための手段】
【０００７】
この発明に従った浴槽用手摺りは、手摺り部と、本体と、連結部とを備える。手摺り部は、把手部と、複数の孔が形成された１対の把手支持部とを含む。本体は、浴槽の側壁に配置されて把手支持部を支持するものである。連結部は、本体と把手支持部とを連結するものである。連結部は、１対の挿入部と、付勢部と、付勢解除部とを含む。挿入部は、複数の孔の少なくとも１つに抜き差し可能に挿入されるものであり、１対の挿入部の間に配置される。付勢部は、挿入部を把手支持部の孔の外側から孔の内側に向かって付勢するものである。付勢解除部は、使用者が操作して付勢部による挿入部の付勢の方向と逆の向きに沿って付勢部に力を加えるためのものである。
【０００８】
このように構成される浴槽用手摺りにおいては、把手支持部は、連結部によって本体と連結される。すなわち、連結部の挿入部が把手支持部の複数の孔の少なくとも１つに挿入された状態では、把手支持部は連結部の挿入部を介して本体に連結される。一方、挿入部が把手支持部の孔に挿入されていない状態では把手支持部が本体に連結されない。
【０００９】
挿入部は、付勢部によって把手支持部の孔の外側から孔の内側に向かって付勢されている。そのため、使用者が把手部の高さを調節し、把手部の高さを固定するために挿入部を把手支持部の孔に挿入するとき、把手支持部を支えながら、挿入部に力を掛けたり、挿入部をねじ込むなどの操作をする必要がない。また、使用者は付勢解除部を操作して、付勢部による挿入部の付勢の方向と逆の向きに沿って付勢部に力を加えることができるので、挿入部を把手支持部の孔から抜くことも容易である。
【００１０】
このようにすることにより、把手部の高さを容易に、かつ、安全に調節することが可能な浴槽用手摺りを提供することができる。
【００１１】
この発明に従った浴槽用手摺りは、把手支持部を本体に固定する固定部を備えることが好ましい。
【００１２】
このようにすることにより、把手支持部のガタツキを防止することができる。
【００１３】
この発明に従った浴槽用手摺りにおいては、固定部は、本体の上部に取り付けられることが好ましい。
【００１４】
このようにすることにより、把手支持部のガタツキをより効果的に防止することができる。
【００１５】
この発明に従った浴槽用手摺りにおいては、本体は、把手支持部を内部に収容する把手支持部収容部を含むことが好ましい。把手支持部収容部の最上部には把手支持部収容部を縮径するための縮径部が形成されていることが好ましい。縮径部は、固定部が縮径部に取り付けられることによって、把手支持部収容部を縮径するように構成されていることが好ましい。
【００１６】
このようにすることにより、把手支持部収容部内に収容された把手支持部を強固に固定し、把手支持部のガタツキをより効果的に防止することができる。
【００１７】
この発明に従った浴槽用手摺りにおいては、縮径部はスリットであることが好ましい。
【００１８】
このようにすることにより、縮径部を簡単に形成することができる。
【００１９】
この発明に従った浴槽用手摺りにおいては、付勢部はバネであることが好ましい。また、付勢解除部は、付勢部の端部に配置される押さえ部と、使用者が押さえ部を移動させるために保持するつまみ部とを有することが好ましい。
【００２０】
このようにすることにより、付勢部による付勢を解除することが容易になる。
【００２１】
この発明に従った浴槽用手摺りは、２つの把手支持部を備え、付勢部は、２つの把手支持部の間に配置されることが好ましい。付勢解除部は２つの押さえ部を有し、押さえ部は、付勢部の両端にそれぞれ配置されることが好ましい。つまみ部は２つの押さえ部のそれぞれに形成されていることが好ましい。
【００２２】
このようにすることにより、把手部を２つの把手支持部でより安定に支持することができる。また、把手支持部収容部の上端からの２つの把手支持部の高さの調節を、簡単な構成の１つの連結部で行うことができる。また、使用者は、把手支持部収容部の上端からの２つの把手支持部の高さの調節を、つまみ部を操作することによって、簡単に行うことができる。
【発明の効果】
【００２３】
以上のように、この発明によれば、把手部の高さを容易に、かつ、安全に調節することが可能な浴槽用手摺りを提供することができる。
【図面の簡単な説明】
【００２４】
【図１】本発明の一つの実施形態の浴槽用手摺りの全体を示す斜視図である。
【図２】浴槽用手摺りのカバーを取り外した状態を示す斜視図である。
【図３】図２に示す浴槽用手摺りをＩＩＩ−ＩＩＩ線で示す方向から見た断面図である。
【発明を実施するための形態】
【００２５】
以下、本発明の実施の形態を図面に基づいて説明する。
【００２６】
図１に示すように、本発明の一つの実施形態の浴槽用手摺り１は、主に、手摺り部として手摺り部材２００と、本体１００とを備える。
【００２７】
手摺り部材２００は、把手部として上部グリップ２１０と、把手支持部として２本の支柱２２０とから構成されている。支柱２２０は、略鉛直方向に延びるように本体１００に支持されている。支柱２２０には、軸に沿って複数の孔２２１が形成されている。上部グリップ２１０は２本の支柱２２０の上端に掛け渡されるようにして支柱２２０に固着されている。
【００２８】
本体１００は、浴槽壁の外側に配置される外側本体部材１１０と浴槽壁の内側に配置される内側本体部材１２０とを含む。外側本体部材１１０には第１の押圧板１１１が取り付けられ、内側本体部材１２０には第２の押圧板１２１が取り付けられている。外側本体部材１１０は、後述する筒状の手摺り収容部を含む。手摺り収容部には、手摺り部材２００の支柱２２０の一部が抜き差し可能に収容される。手摺り収容部は把手支持部収容部の一例である。
【００２９】
外側本体部材１１０と内側本体部材１２０とは、第１の押圧板１１１と第２の押圧板１２１とが浴槽壁（図示しない）を挟んで対向するように配置される。内側本体部材１２０は、外側本体部材１１０上でスライドして第１の押圧板１１１と第２の押圧板１２１との間隔を調整することができるように、浴槽壁の上端部に配置される部分において外側本体部材１１０に嵌合されている。
【００３０】
本体１００の上部はフレーム隠しカバー１３１によって覆われ、本体１００において浴槽の外側に配置される側面はハンドルノブ隠しカバー１３２によって覆われている。フレーム隠しカバー１３１とハンドルノブ隠しカバー１３２は着脱可能に外側本体部材１１０のフレーム支持部１１２に取り付けられている。内側本体部材１２０において浴槽の内側に配置される側面には、側部グリップ１２２が取り付けられている。
【００３１】
本体１００の上面と上部グリップ２１０との間において、２本の支柱２２０は、それぞれ固定部として固定ナット４００によって外側本体部材１１０に固定されている。なお、固定部はナットの他、Ｃリングやその他の部材によって形成されていてもよい。
【００３２】
図２に示すように、固定ナット４００（図１）を緩め、フレーム隠しカバー１３１（図１）と、ハンドルノブ隠しカバー１３２（図１）と、連結部３００を覆うベースカバーとがフレーム支持部１１２から取り外されると、外側本体部材１１０に取り付けられたハンドルノブ１１３と手摺り収容部１１４と連結部３００とが露出する。手摺り収容部１１４は、外側本体部材１１０の水平方向の両端に１つずつ配置されている。手摺り収容部１１４は略鉛直方向に延びる筒状に形成されている。手摺り収容部１１４には、支柱２２０の軸に沿って、上下方向の複数の位置に孔２２１が形成された支柱２２０が収容されている。支柱２２０は、軸に沿ってスライド可能に手摺り収容部１１４に収容されている。ハンドルノブ１１３は、外側本体部材１１０の中央において、ボルト軸によって第１の押圧板１１１に連結されている。
【００３３】
固定ナット４００（図１）は、手摺り収容部１１４の最上部１１４ａに着脱可能に取り付けられる。最上部１１４ａには、縮径部としてスリット（切り欠き）１１６が形成されている。
【００３４】
連結部３００は、挿入部として２本のロックピン３１０と、スプリング支持部材３２０と、付勢部としてスプリング（バネ）３３０と、付勢解除部として高さ調節スイッチ３４０とを含む。高さ調節スイッチ３４０は、２つのつまみ部３４１と、２つのスプリング押さえ部３４２とを含む。スプリング支持部材３２０は筒状に形成され、外側本体部材１１０の下部において水平方向中央に、筒の両端の開口部が水平に並ぶように配置されている。スプリング３３０は、スプリング支持部材３２０に配置されており、スプリング支持部材３２０の開口部のそれぞれからスプリング２２０が水平方向に突出している。高さ調節スイッチ３４０のスプリング押さえ部３４２は、スプリング３３０の両端に１つずつ、スプリング３３０を両端から挟み込むように配置されている。高さ調節スイッチ３４０のつまみ部３４１は、それぞれのスプリング押さえ部３４２から突出するように形成されている。
【００３５】
図３に示すように、ベースカバー１３３が取り付けられると、連結部３００のロックピン３１０とスプリング支持部材３２０とスプリング３３０はベースカバー１３３によって覆われ、外部に露出しなくなる。つまみ部３４１は、使用者が操作可能であるようにベースカバー１３３の外に露出されている。２本のロックピン３１０は、図３においてスプリング支持部材３２０の左右に配置されており、スプリング支持部材３２０から支柱２２０に向かう方向に沿って延びている。スプリング３３０は、左右のロックピン３１０を、図中に矢印Ｐで示すように、スプリング支持部材３２０から手摺り収容部１１４に向かって付勢している。図３に示す状態では、ロックピン３１０は、端部が支柱２２０の孔２２１と、手摺り収容部１１４の孔１１５に挿入されている。この状態では、左右の支柱２２０のそれぞれは、ロックピン３１０を介して、連結部３００が取り付けられている外側本体部材１１０に連結されてロック状態になる。
【００３６】
使用者は、つまみ部３４１をつまんで、高さ調節スイッチ３４０のスプリング押さえ部３４２をスプリング３３０の両端側からスプリング３３０の中央側へ押さえるように移動させることができる。使用者が高さ調節スイッチ３４０の２つのつまみ部３４１をつまんで、矢印Ｑの方向に押さえると、スプリング３３０が縮んで左右のロックピン３１０のそれぞれが支柱２２０の孔２２１と手摺り収容部１１４の孔１１５から抜け出て、ロック解除状態になる。
【００３７】
２つの手摺り収容部１１４は、連結部３００に対して対称の位置に配置されている。すなわち、図３において、連結部３００はフレーム支持部１１２の左右方向中央部に配置され、２つの手摺り収容部１１４はフレーム支持部１１２の左右の両端部に配置されている。また、連結部３００の高さ調節スイッチ３４０の２つのつまみ部３４１は、スプリング３３０に対して対称の位置に配置されている。２つのロックピン３１０もまた、スプリング３３０に対して対称の位置に配置されている。スプリング３３０は連結部３００の左右方向中央部に配置され、２つのつまみ部３４１はスプリング３３０の左右の両端部よりも外側に、スプリング３３０の中心からの距離が等しくなるように配置されている。２つのロックピン３１０はスプリング３３０の左右の両端部に配置されている。
【００３８】
このようにすることにより、手摺り収容部１１４の上端からの２つの支柱２２０の高さの調節を、簡単な構成の１つの連結部３００で行うことができる。また、使用者は、手摺り収容部１１４の上端からの２つの支柱２２０の高さの調節を、つまみ部３４１を操作することによって、簡単に行うことができる。
【００３９】
以上のように構成される浴槽用手摺り１の使用方法について説明する。
【００４０】
浴槽壁に浴槽用手摺り１を取り付けるときには、まず、外側本体部材１１０と内側本体部材１２０とが組み合され、第１の押圧板１１１と第２の押圧板１２１との間隔が浴槽壁の厚みよりも広くされた状態で、本体１００が浴槽壁上に配置される。このとき、フレーム隠しカバー１３１とハンドルノブ隠しカバー１３２とは取り外しておく。外側本体部材１１０は、第１の押圧板１１１が浴槽の外側の浴槽壁面（浴槽壁の外側面）に対向するように配置される。内側本体部材１２０は、第２の押圧板１２１が浴槽の内側の浴槽壁面（浴槽壁の内側面）に対向するように配置される。
【００４１】
次に、使用者が内側本体部材１２０の側部グリップ１２２を保持して、内側本体部材１２０を、浴槽壁面に直交する方向に沿ってスライドさせる。このようにして、第１の押圧板１１１が浴槽壁の外側面に接触し、第２の押圧板１２１が浴槽壁の内側面に接触するように、外側本体部材１１０と内側本体部材１２０との位置を調整する。
【００４２】
外側本体部材１１０と内側本体部材１２０との位置を調整した後、使用者は、必要があれば、ハンドルノブ１１３を回して、第１の押圧板１１１と第２の押圧板１２１とが浴槽壁に完全に接触するように、微調整することができる。このようにすることにより、浴槽用手摺り１を浴槽壁上に強固に固定することができる。
【００４３】
使用者は、フレーム隠しカバー１３１を本体１００に取り付ける。フレーム隠しカバー１３１は、外側本体部材１１０側から内側本体部材１２０側に向かって、外側本体部材１１０の水平部に沿ってスライドするように取り付けられる。
【００４４】
このようにして本体１００を浴槽壁上に固定した後、上部グリップ２１０の高さを調節する。使用者は、まず、固定ナット４００を緩める。また、高さ調節スイッチ３４０のつまみ部３４１をつまんで、図３の矢印Ｑで示す方向に押す。使用者が高さ調節スイッチ３４０をこのように操作すると、スプリング３３０が縮められて、左右のロックピン３１０のそれぞれが支柱２２０の孔２２１から抜け出て、ロック解除状態になる。
【００４５】
次に、使用者は、つまみ部３４１を図３の矢印Ｑで示す方向に押したままで、上部グリップ２１０を握り、上部グリップ２１０の高さを調節する。使用者がつまみ部３４１から手を離すと、スプリング３３０の付勢力によってロックピン３１０を支柱２２０の孔２２１の内部に挿入される。支柱２２０はロックピン３１０を介して、連結部３００が取り付けられている外側本体部材１１０に連結されてロック状態になる。最後に、ハンドルノブ隠しカバー１３２が、ハンドルノブ１１３を覆うように外側本体部材１００に取り付けられ、固定ナット４００が手摺り収容部１１４の最上部１１４ａに締め付けられる。
【００４６】
最上部１１４ａにおいて固定ナット４００が締められると、スリット１１６の幅が縮んで、手摺り収容部１１４が縮径される。手摺り収容部１１４が縮径されると、手摺り収容部１１４の内周面と、手摺り収容部１１４に収容されている支柱２２０の外周面とが接触し、互いに押圧される。このようにして、支柱２２０が手摺り収容部１１４に強固に支持される。
【００４７】
以上のように、浴槽用手摺り１は、手摺り部材２００と、本体１００と、連結部３００とを備える。手摺り部材２００は、上部グリップ２１０と、複数の孔２２１が形成された支柱２２０とを含む。本体１００は、浴槽の側壁に配置されて支柱２２０を支持するものである。連結部３００は、本体１００と支柱２２０とを連結するものである。連結部３００は、ロックピン３１０と、スプリング３３０と、高さ調節スイッチ３４０とを含む。ロックピン３１０は、複数の孔２２１の少なくとも１つに抜き差し可能に挿入されるものである。スプリング３３０は、ロックピン３１０を支柱２２０の孔２２１の外側から孔２２１の内側に向かって付勢するものである。高さ調節スイッチ３４０は、使用者が操作してスプリング３３０によるロックピン３１０の付勢の方向と逆の向きに沿ってスプリング３３０に力を加えるためのものである。
【００４８】
このように構成される浴槽用手摺り１においては、支柱２２０は、連結部３００によって本体１００と連結される。すなわち、連結部３００のロックピン３１０が支柱２２０の複数の孔２２１の少なくとも１つに挿入された状態では、支柱２２０は連結部３００のロックピン３１０を介して本体１００に連結される。一方、ロックピン３１０が支柱２２０の孔２２１に挿入されていない状態では支柱２２０が本体１００に連結されない。
【００４９】
ロックピン３１０は、スプリング３３０によって支柱２２０の孔２２１の外側から孔２２１の内側に向かって付勢されている。そのため、使用者が上部グリップ２１０の高さを調節し、上部グリップ２１０の高さを固定するためにロックピン３１０を支柱２２０の孔２２１に挿入するとき、支柱２２０を支えながら、ロックピン３１０に力を掛けたり、ロックピン３１０をねじ込むなどの操作をする必要がない。また、使用者は高さ調節スイッチ３４０を操作して、スプリング３３０によるロックピン３１０の付勢の方向と逆の向きに沿ってスプリング３３０に力を加えることができるので、ロックピン３１０を支柱２２０の孔２２１から抜くことも容易である。
【００５０】
このようにすることにより、上部グリップ２１０の高さを容易に、かつ、安全に調節することが可能な浴槽用手摺り１を提供することができる。
【００５１】
また、浴槽用手摺り１は、支柱２２０を本体１００に固定する固定ナット４００を備える。
【００５２】
このようにすることにより、支柱２２０のガタツキを防止することができる。
【００５３】
また、浴槽用手摺り１においては、固定ナット４００は、本体１００の上部に取り付けられる。
【００５４】
このようにすることにより、支柱２２０のガタツキをより効果的に防止することができる。
【００５５】
また、浴槽用手摺り１においては、本体１００は、支柱２２０を内部に収容する手摺り収容部１１４を含む。手摺り収容部１１４の最上部１１４ａには手摺り収容部１１４を縮径するためのスリット１１６が形成されている。スリット１１６は、固定部がスリット１１６に取り付けられることによって、手摺り収容部１１４を縮径するように構成されている。
【００５６】
このようにすることにより、手摺り収容部１１４内に収容された支柱２２０を強固に固定し、支柱２２０のガタツキをより効果的に防止することができる。また、縮径部をスリットで形成することによって、縮径部を簡単に形成することができる。
【００５７】
また、浴槽用手摺り１においては、スプリング３３０はバネである。高さ調節スイッチ３４０は、スプリング３３０の端部に配置されるスプリング押さえ部３４２と、使用者がスプリング押さえ部３４２を移動させるために保持するつまみ部３４１とを有する。
【００５８】
このようにすることにより、スプリング３３０による付勢を解除することが容易になる。
【００５９】
また、浴槽用手摺り１は、２つの支柱２２０を備え、スプリング３３０は、２つの支柱２２０の間に配置される。高さ調節スイッチ３４０は２つのスプリング押さえ部３４２を有し、スプリング押さえ部３４２は、スプリング３３０の両端にそれぞれ配置される。つまみ部３４１は２つのスプリング押さえ部３４２のそれぞれに形成されている。
【００６０】
このようにすることにより、上部グリップ２１０を２つの支柱２２０でより安定に支持することができる。また、手摺り収容部１１４の上端からの２つの支柱２２０の高さの調節を、簡単な構成の１つの連結部３００で行うことができる。また、使用者は、手摺り収容部１１４の上端からの２つの支柱２２０の高さの調節を、つまみ部３４１を操作することによって、簡単に行うことができる。
【００６１】
以上に開示された実施の形態はすべての点で例示であって制限的なものではないと考慮されるべきである。本発明の範囲は、以上の説明ではなく、特許請求の範囲によって示され、特許請求の範囲と均等の意味および範囲内でのすべての変形を含むものである。
【符号の説明】
【００６２】
１：浴槽用手摺り、１００：本体、１１４：手摺り収容部、１１４ａ：最上部、１１６：スリット、２００：手摺り部材、２１０：上部グリップ、２２０：支柱、２２１：孔、３００：連結部、３１０：ロックピン、３３０：スプリング、３４０：高さ調節スイッチ、３４１：つまみ部、３４２：スプリング押さえ部、４００：固定ナット。
【図１】
2015097955.tif 000003
【図２】
2015097955.tif 000004
【図３】
2015097955.tif 000005